(57)【特許請求の範囲】
【請求項１】
マスカラ収納容器の開口部を密封して覆うキャップにマスカラ収納容器内に収納可能な塗布棒を取り付け、該塗布棒の先端に有底の外筒部材を同軸上に設置し、該外筒部材の内面と前記塗布棒の外面により形成された空間内に塗布体を支える軸体と接合するボールジョイントと、該ボールジョイントの塗布棒側の面に当接する当接部材と、該当接部材をボールジョイントに付勢するスプリングと、を備え、外筒部材の内面とボールジョイントの外面に、塗布体の回動にともない回転するボールジョイントの回転軸に垂直な平面部を設け、互いの平面部を当接させることによりボールジョイントの回転方向を規制するとともに、外筒部材の底面に設けた挿通孔から塗布体を支える軸体を挿出して、塗布棒の略軸方向に延びる塗布体を所定方向に回動可能としたマスカラ塗布具であって、塗布体の回動方向と反対側の一側面が回動経路を含む平面と直交し、塗布体を回動し塗布体の軸心を塗布棒の軸心に対して屈曲させた状態で前記一側面と該一側面に隣接する側面によって形成される稜線部でマスカラを塗布することを可能としたことを特徴とするマスカラ塗布具。
【請求項２】
塗布体を回動し塗布体の軸心と塗布棒の軸心とが直角となるように屈曲させることを特徴とする請求項１記載のマスカラ塗布具。
【請求項３】
稜線部を形成する２つの側面のなす角が鋭角であることを特徴とする請求項１又は２記載のマスカラ塗布具。
【請求項４】
塗布体が塗布棒の略軸方向に延びる多角柱形状であることを特徴とする請求項１乃至３のいずれかに記載のマスカラ塗布具。
【請求項５】
塗布体が塗布棒の略軸方向に延びる三角柱形状又は四角柱形状であることを特徴とする請求項１乃至４のいずれかに記載のマスカラ塗布具。
【請求項６】
撚り合わされた針金の一部に挟持固定した繊維を切り揃えることにより塗布体を形成し、塗布体から延出する撚り合わされた針金を軸体としてボールジョイントに接合することを特徴とする請求項１乃至５のいずれかに記載のマスカラ塗布具。
【請求項７】
請求項１乃至６のいずれかに記載のマスカラ塗布具を使用して、塗布体を回動し塗布体の軸心を塗布棒の軸心に対して屈曲させた状態で稜線部でマスカラを塗布する化粧方法。
【発明の詳細な説明】
【技術分野】
【０００１】
本発明は、睫毛にマスカラを塗布するためのマスカラ塗布具に関する。
【背景技術】
【０００２】
従来より、睫毛にマスカラを塗布する化粧行為は目元をメーキャップする上で重要であり、マスカラ塗布具は目元におけるメーキャップの仕上がりを左右する重要な化粧用具の一つである。
【０００３】
そして、一般的なマスカラ塗布具は、マスカラを収容した容器本体の口部に螺合するキャップの内側に塗布棒を取り付け、当該塗布棒の先端に複数の針金でブラシ繊維を挟持してなる塗布体を固定した構造であり(図１１)、使用の際にはキャップを把持し、塗布棒を水平に保ちながら、塗布体を睫毛に接触させて、ブラシ繊維に付着したマスカラを睫毛に塗布する。また、マスカラを塗布する際は、鏡に映った目元を見ながら自らの化粧操作を確認しつつブラシの操作を行うものである。
【０００４】
しかしながら、このようなマスカラ塗布具は、水平に保った塗布棒やキャップを把持する手が視界を遮ることとなるため、両眼の睫毛を化粧する場合には、必ず左右の手でキャップを持ち替える必要があり、利き手とは逆の手で細かい化粧操作を行わなければならず、化粧操作に困難性があった。また、ブラシを水平に保つためには、キャップを把持して肘を高く維持する必要があるため、ブラシの位置が不安定となり、ブラシを的確に睫毛に接触させるためには慎重を要するとともに、しばしば失敗することもあった。
【０００５】
また、一般的なマスカラ塗布具は、塗布体が円柱形状であるため、塗布体を睫毛の根元部分に確実に当てることができず、マスカラを睫毛の根元部分に塗布して、睫毛を効果的にカールさせることは困難であった。
【０００６】
【特許文献１】特開２００４−４９７１２号公報
【発明の開示】
【発明が解決しようとする課題】
【０００７】
本発明は、両眼の睫毛を化粧する際に、視界確保のために左右の手でブラシを持ち替える必要がなく、利き手で化粧操作することができ、さらにブラシを水平に保持し易く、化粧の仕上がりに優れるマスカラ塗布具を提供することを課題とする。
【課題を解決するための手段】
【０００８】
前記課題を解決するために本発明者が検討を行った結果、塗布棒の先端に回動可能に取り付けたマスカラ塗布具の塗布体が、回動する方向とは反対側に、回動経路を含む平面に直交する一側面を有し、塗布体を回動し塗布棒に対して屈曲させた状態で当該一側面と当該一側面に隣接する側面によって形成される稜線部でマスカラを塗布することで、マスカラを安定して塗布することができ、また、化粧の仕上がりに優れることを見出し、本発明を完成するに至った。
【０００９】
すなわち本発明は、マスカラ収納容器の開口部を密封して覆うキャップにマスカラ収納容器内に収納可能な塗布棒を取り付け、該塗布棒の先端に有底の外筒部材を同軸上に設置し、該外筒部材の内面と前記塗布棒の外面により形成された空間内に塗布体を支える軸体と接合するボールジョイントと、該ボールジョイントの塗布棒側の面に当接する当接部材と、該当接部材をボールジョイントに付勢するスプリングと、を備え、外筒部材の内面とボールジョイントの外面に、塗布体の回動にともない回転するボールジョイントの回転軸に垂直な平面部を設け、互いの平面部を当接させることによりボールジョイントの回転方向を規制するとともに、外筒部材の底面に設けた挿通孔から塗布体を支える軸体を挿出して、塗布棒の略軸方向に延びる塗布体を所定方向に回動可能としたマスカラ塗布具であって、塗布体の回動方向と反対側の一側面が回動経路を含む平面と直交し、塗布体を回動し塗布体の軸心を塗布棒の軸心に対して屈曲させた状態で前記一側面と該一側面に隣接する側面によって形成される稜線部でマスカラを塗布することを可能としたことを特徴とするマスカラ塗布具である。
【００１０】
さらに本発明は、塗布体を回動し塗布体の軸心と塗布棒の軸心とが直角となるように屈曲させることを特徴とするマスカラ塗布具である。
【００１１】
さらに本発明は、稜線部を形成する２つの側面のなす角が鋭角であることを特徴とするマスカラ塗布具である。
【００１２】
さらに本発明は、塗布体が塗布棒の略軸方向に延びる多角柱形状であることを特徴とするマスカラ塗布具である。
【００１３】
さらに本発明は、塗布体が塗布棒の略軸方向に延びる三角柱形状又は四角柱形状であることを特徴とするマスカラ塗布具である。
【００１６】
さらに本発明は、撚り合わされた針金の一部に挟持固定した繊維を切り揃えることにより塗布体を形成し、塗布体から延出する撚り合わされた針金を軸体としてボールジョイントに接合することを特徴とするマスカラ塗布具である。
【００１７】
また本発明は、前記のマスカラ塗布具を使用して、塗布体を回動し塗布体の軸心を塗布棒の軸心に対して屈曲させた状態で稜線部でマスカラを塗布する化粧方法である。
【発明の効果】
【００１８】
本発明のマスカラ塗布具によれば、塗布体を回動し塗布体の軸心を塗布棒の軸心に対して屈曲させてマスカラを睫毛に塗布することができるため、キャップを把持する手で視界を遮ることがなく、両眼の睫毛を化粧する場合にも、左右の手でキャップを持ち替える必要がない。したがって、利き手で左右の睫毛にマスカラを塗布することができ、化粧操作を円滑に行うことができる。
【００１９】
塗布体を回動し、塗布体の軸心を塗布棒の軸心に対して屈曲させると、回動経路を含む平面と直交する塗布体の一側面と当該一側面に隣接する側面によって形成される稜線部でマスカラを塗布することができるため、肘を下げた状態で睫毛の根元からマスカラを塗布することができ、睫毛を効果的にカールさせることができ、優れた化粧の仕上がりとなる。
【図面の簡単な説明】
【００２０】
【図１】マスカラ容器全体図(一部透視図)
【図２】マスカラ塗布具(一部透視図)((ａ)マスカラ塗布具全体図、(ｂ)Ａ−Ａ線断面図)
【図３】使用状態を示すモデル図
【図４】睫毛にマスカラを塗布する状態を示すモデル図
【図５】塗布体の拡大図(第１の実施例)((ａ)正面図、(ｂ)側面図、(ｃ)平面図)
【図６】塗布体の拡大図(第２の実施例)((ａ)正面図、(ｂ)側面図、(ｃ)平面図)
【図７】塗布体の形状を例示する断面図((ア)第３の実施例、（イ）第４の実施例（ウ）第５の実施例)
【図８】外筒部材の拡大図((ａ)正面図、(ｂ)左側面図、(ｃ)右側面図、(ｄ)平面図)
【図９】当接部材の拡大図((ａ)正面図、(ｂ)左側面図、(ｃ)平面図)
【図１０】マスカラ塗布具全体図(第２の実施形態)
【図１１】従来のマスカラ塗布具
【図１２】確認試験によるアンケート結果を示すグラフ(本発明のマスカラ塗布具の使い易さの評価)
【図１３】確認試験によるアンケート結果を示すグラフ((ａ)本発明のマスカラ塗布具によるカール効果、(ｂ)従来のマスカラ塗布具によるカール効果)
【発明を実施するための形態】
【００２１】
本発明のマスカラ塗布具を以下に詳細に説明する。
【００２２】
図１に示すように、マスカラ塗布具(３)は、マスカラ収納容器(２)の開口部(2a)を密封して覆うキャップ(11)と、当該キャップ(11)に取り付けられマスカラ収納容器内(２)に収納可能な塗布棒(10)と、当該塗布棒(10)の先端に回動可能に取り付けられ塗布棒(10)の略軸方向に延びる塗布体(４)を備える。
【００２３】
マスカラ塗布具(３)をこのような構造にすることにより、未使用時には、塗布体(４)を塗布棒(10)と略同軸上に配置し、有底筒状のマスカラ収納容器内(２)に塗布体(４)を挿入して、収納することができ、使用時には、使用者が塗布体(４)を回動し、塗布体(４)を塗布棒(10)に対して任意の角度に屈曲させた状態でマスカラを塗布することができる。
【００２４】
塗布棒(10)の先端には外筒部材(９)を同軸上に設置しており、当該外筒部材(９)の内面と塗布棒(10)の外面によって形成された空間内(9d)に塗布体を支える軸体(５)と接合するボールジョイント(６)と、当該ボールジョイント(６)の塗布棒側の面に当接する当接部材(７)と、当該当接部材(７)をボールジョイント(６)に付勢するスプリング(８)と、を備え、外筒部材(９)の先端に設けた帯状に開口した挿通孔(9a)から塗布体を支える軸体(５)を挿出することにより塗布体(４)を回動可能としている。
【００２５】
ボールジョイント(６)は、外筒部材(９)と塗布棒(10)との間に形成された空間内(9d)に装填されたスプリング(８)で付勢された当接部材(７)により常に一定圧力をもって圧接、保持されているため、ボールジョイント(６)の回転に適度な抵抗が生じ、塗布体(４)を塗布棒(10)に対して任意の屈曲角度で維持することができる。当接部材(７)は、ボールジョイントとの接触面積を大きくするため、湾曲した当接面(7a)を有している(図９)。
【００２６】
塗布体(４)は軸体(５)の軸心方向に延びる多角柱形状であり、塗布体(４)を回動し塗布体(４)の軸心を塗布棒(10)の軸心に対して屈曲させると、回動する方向とは反対側にある多角柱の一側面(4a)が塗布体と塗布棒の２本の軸心を通る平面と垂直をなすようにボールジョイント(６)が回転する(図２)。
【００２７】
ボールジョイント(６)の回転する方向は、例えば、図５に示すようにボールジョイント(６)が回転する回転軸に対して垂直な平面部(6a,6a)をボールジョイントの外面に設け、かかる平面部(6a,6a)と当接し得る平面部(9b,9b)を内面に備えた図８のような外筒部材(９)に、ボールジョイント(６)を組み入れることにより規制することができる。
【００２８】
また、外筒部材(９)の底面(9c)にはボールジョイント(６)の回転にともなって軸体(５)が移動するよう挿通孔(9a)が設けられており、挿通孔(9a)は塗布体(４)が塗布棒(10)に対して９０度まで屈曲できるよう一方向に切り欠いた帯状の形状であり(図８)、帯状の挿通孔(9a)に沿って軸体(５)が移動することにより塗布体(４)が回動する方向と角度を規制している。
【００２９】
睫毛にマスカラを塗布する際には、キャップ(11)をマスカラ収納容器(２)から外し、マスカラを塗布体(４)に付着させた状態でマスカラ塗布具(３)をマスカラ容器から取り出す。そして、塗布体(４)を回動し塗布体(４)の軸心を塗布棒(10)の軸心に対して屈曲させた状態で睫毛にマスカラを塗布することができる(図３)。
【００３０】
塗布体(４)の回動は、例えばマスカラ収納容器(２)の開口部(2a)に当接させて力を加えることにより行い、塗布体(４)を使用者が必要とする任意の角度に屈曲させることができる。また、マスカラ塗布後には、塗布体(４)を回動し、もとの状態に戻して収納すればよい。
【００３１】
塗布体を塗布棒に対して屈曲させると、従来のようにブラシの軸部材や把持する手で視界を遮ることなく、化粧行為を鏡に映して視認することができる。したがって、左右の手でブラシを持ち替える必要がなく、利き手で左右の睫毛にマスカラを塗布することができる(図３)。
【００３２】
塗布体(４)を塗布棒(10)に対して９０度まで回動すると、回動する方向とは反対側にある塗布体の多角柱の一側面(4a)と当該一側面に隣接する側面(4b)によって形成される稜線部(4c)が塗布棒(10)と直角となり、肘を下げた安定した状態でマスカラを塗布できるとともに(図３)、稜線部(4c)の先端を使って睫毛の根元にまでマスカラを塗布することができ、睫毛を効果的にカールすることができる(図４)。
【００３３】
稜線部(4c)を形成する２つの側面(4a,4b)のなす角を鋭角にすることにより、睫毛の根元にマスカラを確実に塗布することができる(図４)。塗布体を多角柱形状とする場合、多角柱の形状は特に限定されるものではないが、２本の稜線部(4c,4c)をいずれも鋭角にすることができ、生産性も良好であることから、塗布体の多角柱は、三角柱形状(図５)や台形を断面とする四角柱形状(図６)であることが好ましい。
【００３４】
また、塗布体は多角柱形状に限られず塗布体の側面に湾曲面を備えるもので、図２(ａ)におけるＡ−Ａ線の断面が、図７に示すように断面形状の輪郭線に曲線を含むものであってもよい。図７(ア)は、回動方向と反対側の側面(4a)に隣接する側面(4b)が凸状湾曲した形状を示すものである。図７(イ)は、回動方向と反対側の側面(4a)が凸状湾曲した形状を示すものである。図７(ウ)は、回動方向と反対側の側面(4a)及びこれに隣接する側面(4b)が凹状湾曲した形状を示すものである。図７(イ)及び(ウ)においては、回動方向と反対側の側面(4a)は湾曲面であるが、かかる湾曲面の接平面(14)は回動経路を含む平面(15)と垂直に交わることから、側面(4a)と平面(15)とは直交するものである。また、図７(ア)乃至(ウ)における稜線部(4c)を形成する２つの側面(4a,4b)のなす角度は、いずれかの(又は双方の)側面が湾曲面である場合には、稜線部(4c)における湾曲面の接平面が他方の側面と交わる角度により求めることができる。したがって、図７(ア)乃至(ウ)における稜線部(4c)を形成する２つの側面(4a,4b)のなす角度は、いずれも鋭角である。
【００３５】
塗布体は、２本の針金を撚り合わせて繊維を挟持固定した後、軸方向に対する垂直断面形状を所望する形状となるように繊維を切り揃えることにより形成することができる。このようにして得た塗布体(図５乃至７)は、繊維が細く、睫毛の根元に入り込み、マスカラを睫毛の根元から塗布できるため好適であるが、必ずしも、このような形態に限られず、例えば、複数のブリッスルを軸体(５)と一体的に成型し、かかる複数のブリッスルをもって塗布体を形成するような形態や、発泡体を塗布体として軸体に固定するような形態等もある。
【００３６】
本発明のマスカラ塗布具は、使用者が塗布体の回動する方向を一目で認識できるよう、例えば、図１０に示すように、塗布体の軸心を塗布棒の軸心に対して１０度回動した位置で傾斜して取り付けることもできる。
【実施例】
【００３７】
本発明のマスカラ塗布具について行った効果の確認試験を実施例として記載する。
【００３８】
確認試験は、年齢２０〜４０代の女性２０名をパネラーとして、本発明のマスカラ塗布具(図１)と従来のマスカラ塗布具(図１１)を使用して、使い易さ及び化粧の仕上がりについて比較によるアンケートを実施して行った。本発明のマスカラ塗布具は、２本の針金を撚り合わせて繊維を挟持固定し、軸方向に対する垂直断面形状が逆正三角形となるように繊維を切り揃えて形成した塗布体を有するものであり(図５)、パネラーは塗布体を塗布棒に対して直角に屈曲させた状態でマスカラを塗布した(図３)。一方、従来のマスカラ塗布具は、２本の針金を撚り合わせて繊維を挟持固定し、軸方向に対する垂直断面形状が円形となるように繊維を切り揃えて形成した塗布体を、塗布棒の先端に同軸上に固定したものである。
【００３９】
図１２は、本発明のマスカラ塗布具の使い易さを評価した結果である。ブラシを持つ手で視界を遮ることがないこと、また、肘を下げた状態で安定してマスカラを塗布することができることにより、全体の８５％(非常に使いやすい(３５％)と使い易い(５０％)の合計)のパネラーから使い易いとの評価を得ることができた。
【００４０】
図１３は、睫毛のカール効果を評価した結果である。本発明のマスカラ塗布具は非常にカールしていると回答したパネラーは３０％であるのに対し(図１３(ａ))、通常のマスカラ塗布具では１０％であった(図１３(ｂ))。この結果は、本発明のマスカラ塗布具が稜線部(図４中の4cに示す箇所)で睫毛の根元からマスカラを塗布することで、睫毛を効果的にカールアップできたことを示すものである。
【符号の説明】
【００４１】
１  マスカラ容器
２  マスカラ収納容器
２ａ  開口部
３  マスカラ塗布具
４  塗布体
４ａ  回動方向と反対側にある側面
４ｂ  回動方向と反対側にある側面に隣接する側面
４ｃ  稜線部
５  軸体
６  ボールジョイント
６ａ  平面部
７  当接部材
７ａ  ボールジョイントとの当接面
８  スプリング
９  外筒部材
９ａ  挿通孔
９ｂ  平面部
９ｃ  底面
９ｄ  空間
１０  塗布棒
１１  キャップ
１２  固定ピン
１３  塗布体の回転軸
１４  接平面
１５  回動経路を含む平面
【図１】
0005279886.tif 000002
【図２】
0005279886.tif 000003
【図３】
0005279886.tif 000004
【図４】
0005279886.tif 000005
【図５】
0005279886.tif 000006
【図６】
0005279886.tif 000007
【図７】
0005279886.tif 000008
【図８】
0005279886.tif 000009
【図９】
0005279886.tif 000010
【図１０】
0005279886.tif 000011
【図１１】
0005279886.tif 000012
【図１２】
0005279886.tif 000013
【図１３】
0005279886.tif 000014